(57)【要約】【課題】オフラインモードで行われる後処理の操作性及び処理性において優れた後処理装置を提供する。【解決手段】画像形成装置と接続し、ステープル、中綴じ、折りのうち２つ以上の機能を有した後処理部で、画像形成装置の記録紙搬送排紙位置より下流側で、画像形成装置を経ない用紙を積載、給送し、機能についての後処理を実行できる給紙部を有していて、画像形成装置の操作部とは別に後処理を指示する第２の操作部を持ち、第２の操作部の指示により給紙部にセットした用紙を後処理する後処理装置において、第２の操作部により指示された後処理モードは、２つの後処理を同時に選択することを可能とし、１つの後処理は１枚毎に後処理動作する制御を有し、残りの後処理は所定枚数毎に後処理動作する制御を有すること。【選択図】        図５
2004184930.tif 000002
【特許請求の範囲】
【請求項１】
画像形成装置と接続し、ステープル、中綴じ、折り、パンチのうち２つ以上の機能を有した後処理部で、
前記画像形成装置の記録紙搬送排紙位置より下流側で、前記画像形成装置を経ない用紙を積載、給送し、前記機能についての後処理を実行できる給紙部を有していて、
前記画像形成装置の操作部とは別に後処理を指示する第２の操作部を持ち、
前記第２の操作部の指示により前記給紙部にセットした用紙を後処理する後処理装置において、
前記第２の操作部により指示された後処理モードは、２つの後処理を同時に選択することを可能とし、１つの後処理は１枚毎に後処理動作する制御を有し、残りの後処理は所定枚数毎に後処理動作する制御を有することを特徴とする後処理装置。
【請求項２】
画像形成装置と接続し、ステープル、中綴じ、折り、パンチのうち２つ以上の機能を有した後処理部で、
前記画像形成装置の記録紙搬送排紙位置より下流側で、前記画像形成装置を経ない用紙を積載、給送し、前記機能についての後処理を実行できる給紙部を有していて、
前記画像形成装置の操作部には後処理を指示する後処理操作部を持ち、
前記後処理操作部の指示により前記給紙部にセットした用紙を後処理する後処理装置において、
前記第２の操作部により指示された後処理モードは、２つの後処理を同時に選択することを可能とし、１つの後処理は１枚毎に後処理動作する制御を有し、残りの後処理は前記給紙部にセットした用紙の給紙が全て完了してから後処理動作する制御を有することを特徴とする後処理装置。
【発明の詳細な説明】
【０００１】
【発明の属する技術分野】
本発明は画像形成装置と接続して、ステープルや中綴じ、折り等の後処理を行う後処理装置に関する。
【０００２】
【従来の技術】
画像形成装置に後処理装置を接続して、画像形成が行われて記録画像を有する記録紙は画像形成装置から排出すると、引き続いて後処理装置に送り込まれて、ステープルや中綴じ等の後処理が行われている。
【０００３】
また、後処理装置に用紙給紙部を設けて、画像形成装置を通さない用紙に対してステープルや中綴じ等の後処理を行うこともなされている。
【０００４】
特許文献１には、用紙給紙部を設けた後処理装置についての記載がなされている。該後処理装置には簡易化した後処理表示部が設けられていて、後処理装置内でジャム事故が発生したときはこれを表示し、後処理動作を禁止することが記載されている。
【０００５】
特許文献２には、後処理装置の用紙給紙部に開閉カバーが設けられていて、該開閉カバーを開くことによって、インサートモード（オフラインモード）が設定されるとの記載がなされている。
【０００６】
【特許文献１】
特開２００１−１３９２２０号公報
【０００７】
【特許文献２】
特開２００１−３１２６８号公報
【０００８】
【発明が解決しようとする課題】
従来は用紙給紙部に載置した用紙を用いて後処理を行う際は、後処理部に設けられた簡易的な第２の操作部からの指示に基づいて、１束分（例えば用紙５枚をもって１束分とする）の用紙給紙部に載置し、載置した用紙の給紙が完了したのち後処理動作をしていた。即ち、用紙給紙部に載置された１束分（例えば用紙５枚）の給紙が無くなってから初めて１束分の後処理を実行していた。そのため、１枚毎の後処理と１束毎の後処理が混在した後処理については実行することができなかった。また画像形成装置の操作部によって上記の後処理を実行すると、後処理装置に設けた給紙部から遠くなるため操作性が悪く、誤操作も生じ易いという欠点を有していた。また第２の操作部で詳細な指示が行えるようにするときは高価となってしまうという欠点が生じて来る。
【０００９】
本発明は上記問題点を解決した後処理装置を提供することを目的とする。
【００１０】
【課題を解決するための手段】
前記課題を解決し、かつ目的を達成するために、本発明は以下のように構成している。
【００１１】
請求項１記載の発明は、「画像形成装置と接続し、ステープル、中綴じ、折り、パンチのうち２つ以上の機能を有した後処理部で、
前記画像形成装置の記録紙搬送排紙位置より下流側で、前記画像形成装置を経ない用紙を積載、給送し、前記機能についての後処理を実行できる給紙部を有していて、
前記画像形成装置の操作部とは別に後処理を指示する第２の操作部を持ち、
前記第２の操作部の指示により前記給紙部にセットした用紙を後処理する後処理装置において、
前記第２の操作部により指示された後処理モードは、２つの後処理を同時に選択することを可能とし、１つの後処理は１枚毎に後処理動作する制御を有し、残りの後処理は所定枚数毎に後処理動作する制御を有することを特徴とする後処理装置。」である。
【００１２】
この請求項１記載の発明によれば、操作性の優れた場所で安価な操作部によって使用上便利な後処理装置の制御が可能となり、１枚毎に先の後処理動作、例えばパンチ又はＺ折り動作を実行し、後の後処理動作、例えば中綴じ動作を、先の後処理動作を終えた所定枚数の用紙に対して実行することができることとなる。
【００１３】
請求項２記載の発明は、「画像形成装置と接続し、ステープル、中綴じ、折り、パンチのうち２つ以上の機能を有した後処理部で、
前記画像形成装置の記録紙搬送排紙位置より下流側で、前記画像形成装置を経ない用紙を積載、給送し、前記機能についての後処理を実行できる給紙部を有していて、
前記画像形成装置の操作部には後処理を指示する後処理操作部を持ち、
前記後処理操作部の指示により前記給紙部にセットした用紙を後処理する後処理装置において、
前記第２の操作部により指示された後処理モードは、２つの後処理を同時に選択することを可能とし、１つの後処理は１枚毎に後処理動作する制御を有し、残りの後処理は前記給紙部にセットした用紙の給紙が全て完了してから後処理動作する制御を有することを特徴とする後処理装置。」である。
【００１４】
この請求項２記載の発明によれば、操作性の優れた場所で安価な操作部によって使用上便利な後処理装置の制御が可能となり、１枚毎に先の後処理動作、例えば中折り動作を実行し、後の後処理動作、例えば中綴じ動作を、先の後処理動作を終えた全ての給紙部にセットされた用紙に対して実行することができることとなる。
【００１５】
【発明の実施の形態】
図１は画像形成装置Ａ、後処理装置Ｂから成る画像形成システムの１例を示した全体構成図である。画像形成装置Ａにおいて画像が形成されて後処理装置に送り込まれる用紙を記録紙と言い、後処理装置において新たに給紙されて後処理される用紙を単に用紙と言う。
【００１６】
［画像形成装置］
画像形成装置Ａは、回転する像担持体１の周囲に、帯電手段２、像露光手段（書込手段）３、現像手段４、転写手段５Ａ、除電手段５Ｂ、分離爪５Ｃ及びクリーニング手段５Ｄを配置した画像形成部を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１７】
一方、給紙手段６Ａから給紙された記録紙Ｓは中間給紙部６Ｂを経て転写位置へと送られる。転写位置において転写手段５Ａにより前記トナー像が記録紙Ｓ上に転写される。その後に、記録紙Ｓは除電手段５Ｂにより裏面の電荷が消去され、分離爪５Ｃにより像担持体１から分離され、搬送手段７Ａにより搬送され、引き続き定着手段８により加熱定着され、排紙ローラ７Ｃにより排出される。
【００１８】
記録紙Ｓの両面に画像形成を行う場合には、定着手段８により加熱定着された記録紙Ｓを、搬送路切換板７Ｂにより通常の排紙通路から分岐し、反転搬送手段７Ｄにおいてスイッチバックして表裏反転した後、排紙ローラ７Ｃにより装置外に排出される。排紙ローラ７Ｃから排出された記録紙Ｓは、後処理装置Ｂの入口部１０に送り込まれる。排紙ローラ７Ｃの近傍には、排出される記録紙Ｓの先端部及び後端部の通過を検知する排紙センサＰＳ１が設置されている。
【００１９】
一方、像担持体１の表面は転写後に分離爪５Ｃの下流においてクリーニング手段５Ｄによりクリーニングされ、次の画像形成に備える。
【００２０】
画像形成装置Ａの上部には、画像形成条件を設定する本体操作部９が配置されている。
【００２１】
［後処理装置］
本発明が適用される後処理装置は、ステープル、中綴じ、折りのうち２つ以上の機能を有した後処理装置であるが、その１例について説明する。
【００２２】
後処理装置Ｂには、図示の上段に用紙給紙部５１、上部排紙台９３が配置され、中段にＺ折り畳み手段３０、穿孔手段６０、シフト手段６７、排紙ローラ９１がほぼ水平をなす同一平面上に直列配置され、下段に集積部７０と折り畳み手段８０が傾斜面をなす同一平面上に直列に配置されている。
【００２３】
また、後処理装置Ｂの図示左側面には、Ｚ折り処理を終えた用紙Ｋ又は用紙Ｓ、シフト処理済みの記録紙Ｓ及び綴じ処理済みの記録紙束Ｓａを多数枚又は多数部積載する昇降排紙台９２が配置されている。
【００２４】
図２は後処理装置Ｂ内における用紙の搬送経路を示す断面図で、図３は後処理装置Ｂの前段に設けられたＺ折り畳み手段３０近傍の記録紙又は用紙の搬送経路を示す断面図である。先ず図３を用いてＺ折り畳み手段と該Ｚ折り畳み手段への搬送経路について説明を行い、続いて図２を用いて後処理装置Ｂについて説明する。
【００２５】
画像形成装置Ａの排紙ローラ７Ｃから排出された記録紙Ｓは、後処理装置Ｂの入口部１０に導入される。入口部１０の記録紙搬送方向下流側には、記録紙Ｓの先端部及び後端部の通過を検知する記録紙先後端検知センサＳＰ２が配置されている。さらにその記録紙搬送方向下流側には、レジストローラ３１と、ソレノイドＳＤ１により揺動可能な分岐部材３２とが配置されている。
【００２６】
レジストローラ３１を通過した記録紙Ｓは、分岐部材３２により水平方向の第１搬送路▲１▼と、下方のＺ折り畳み手段３０に導く第２搬送路▲２▼とに分岐される。
第１搬送路▲１▼に搬送される記録紙Ｓは、排紙ローラ３９により直接昇降排紙台９２に向けて排紙される。
【００２７】
第２搬送路▲２▼に搬送される記録紙Ｓは、Ｚ折り畳み手段３０を構成する折りローラ３３，３４，３５、第１停止手段３６及び第２停止手段３７により、中折り処理やＺ折りと称される三つ折り畳み処理が行われる。
【００２８】
・Ｚ折り畳み手段
レジストローラ３１により搬送されて第２搬送路▲２▼を走行する記録紙Ｓはその先端が第１停止手段３６に突き当たって停止する。先端が突き当たった状態で搬送される記録紙Ｓは折りローラ３３と３４との間に屈曲し折り畳まれて進入する。折りローラ３３、３４により折り畳まれた記録紙Ｓは、第３搬送路▲３▼を走行して第２停止手段３７に突き当たり、その先端が停止する。先端が係止された状態で折りローラ３３、３４により搬送される記録紙Ｓの後端部は折りローラ３３、３４の搬送力により屈曲して折りローラ３４と３５との間に屈曲して進入する。
折りローラ３４と３５とにより第２の折り畳みが行われ、後端部が折り畳まれた記録紙Ｓは第４搬送路▲４▼を走行する。このように記録紙Ｓの２カ所でＺ字状に折り畳みが行われた後に第２停止手段３７は係止を解除し、折り畳まれた記録紙Ｓは排紙ローラ３９から排紙される。
【００２９】
・給紙手段
用紙給紙部５１の給紙皿内に収容された用紙Ｋは、給紙ローラ５１１により分離、給送され、搬送ローラ５１２，５１３に挟持されて、合流部５０に導入される。用紙給紙部５１の給紙皿内には、画像形成装置Ａから直接排出される記録紙Ｓ以外の用紙を積載して、オフライン作動により、給紙ローラ５１１により給送する事ができる。
【００３０】
・合流部
後処理装置Ｂの合流部５０には、画像形成装置Ａの排紙ローラ７Ｃから排出された記録紙Ｓが導入される。また、合流部５０には、後処理装置Ｂの上部に設置された用紙給紙部５１から供給される用紙Ｋとが導入される。合流部５０はＺ折り畳み手段３０の上流に位置しているので、記録紙Ｓ又は用紙ＫについてＺ折り畳み処理及びその後の後処理が可能となっている。
【００３１】
・穿孔手段
Ｚ折り畳み手段３０の用紙搬送方向下流側には、穿孔手段６０が配置されている。穿孔手段６０による穿孔位置の用紙搬送方向上流側には、レジストローラ６５が、穿孔位置の用紙搬送方向下流側には、搬送ローラ６６がそれぞれ配置されている。穿孔手段６０は用紙Ｋ又は記録紙Ｓの先端部近傍にファイル用の透孔をあける。
【００３２】
レジストローラ６５と穿孔手段６０との中間には、用紙の先端部及び後端部の通過を検知する用紙先後端検知センサＰＳ４が配置されている。
【００３３】
・用紙分岐手段
穿孔手段６０の用紙搬送方向下流側には、切り換えゲートＧ１，Ｇ２から成る用紙分岐手段が設けられている。切り換えゲートＧ１，Ｇ２は図示しないソレノイドの駆動により三方の用紙搬送路、即ち、上部排紙台９３に至る第１搬送路Ｆ１、中段の排紙ローラ９１に至る第２搬送路Ｆ２、下段の集積部７０に至る第３搬送路Ｆ３の何れかに選択的に分岐させる。
【００３４】
・単純排紙
この用紙搬送が設定されると、切り換えゲートＧ１は第１搬送路Ｆ１のみを開放し、他の第２搬送路Ｆ２、第３搬送路Ｆ３を遮断する。
【００３５】
第１搬送路Ｆ１を通過する用紙は、搬送ローラ９３１に挟持されて上昇し、排出ローラ９３２により排出され、上部排紙台９３上に載置され、順次積載される。上部排紙台９３には最大約２００枚の用紙を積載することができる。
【００３６】
・シフト処理
この搬送モードに設定されると、切り換えゲートＧ１は上方に退避し、切り換えゲートＧ２は第３搬送路Ｆ３を遮断し、第２搬送路Ｆ２を開放し用紙の通過を可能にする。用紙は切り換えゲートＧ１、Ｇ２の間を通過する。
【００３７】
用紙、即ち、画像形成装置Ａより排出された記録紙Ｓ又は用紙給紙部５１から給紙された用紙Ｋは、切り換えゲートＧ１，Ｇ２の中間通紙路を通過して、シフト手段６７により用紙搬送方向に直交する方向に、シフト処理される。
【００３８】
シフト手段６７は所定の枚数毎に、搬送幅方向に用紙の排紙位置を変えるシフト処理を行う。シフト処理された用紙やＺ折り畳み処理された用紙は、排紙ローラ９１により機外の昇降排紙台９２に排出され順次載置される。この昇降排紙台９２は多数枚の用紙を排紙するときには、順次下降するように構成されており、最大約３０００枚（Ａ４判、Ｂ５判）の用紙を収容することが可能である。
【００３９】
・ステープル処理
後に説明する第２の操作部又は画像形成装置Ａの操作部９においてステープル処理が設定されると、用紙給紙部５１から排出された用紙、又は画像形成装置Ａ内で画像形成処理されて、後処理装置Ｂの入口部５０に送り込まれた記録紙は、穿孔手段６０を通過し、切り換えゲートＧ２の下方の第３搬送路Ｆ３に送り込まれ、搬送ローラ７０１、７０２に挟持されて搬送され、用紙の先端部が入口搬送ローラ（レジストローラ）７０３の挟持位置付近に当接して停止され、用紙先端の整合が行われる。
【００４０】
用紙の進行方向後端部が搬送ローラ７０３の挟持位置から排出されたのちには、用紙の自重により下降に転じ、用紙載置台（中間スタッカ）７１の傾斜面上を下降し、巻き込みベルト７０４により用紙先端部が摺動搬送され、綴じ手段７００の近傍に設けた端綴じ用位置規制手段７２の用紙突き当て面に用紙の後端部が当接して停止する。
【００４１】
７３は用紙載置台７１の両側面に移動可能に設けた一対の幅整合部材である。
用紙載置台７１上に所定枚数（１束分）の用紙が積載、整合されると、綴じ手段７００により１ヵ所綴じ又は２ヵ所綴じの綴じ合わせ処理が行われ、用紙の束が形成される。
【００４２】
ステープル処理された用紙束は、排出ベルト７４の排出爪７４Ａにより用紙の後端部が保持されて、用紙載置台７１の載置面上を滑走して斜め上方に押し上げられ、排紙ローラ９１に挟持された用紙は、昇降排紙台９２上に排出、積載される。
【００４３】
・中折り処理
中折り処理開始信号により、駆動源に接続する折り板８２は、案内板８１の用紙載置面より図示の左方向に突出する。図示の左方向に直進して突出した折り板８２の先端部は、用紙の中央部を押し込み、用紙を介して折りローラ８３，８４の挟持位置を押し広げて離間させる。
【００４４】
折り板８２の先端部が折りローラ８３，８４の挟持位置を通過後、折り板８２が後退して、用紙の中央部は、折りローラ８３，８４により挟圧されて、折り目が形成される。挟圧されて折り目を形成された用紙は、回転する折りローラ８３，８４により搬出され、機外の下部排紙台９４上に載置される。
（１）後処理装置の操作パネル
後処理装置Ｂの用紙給紙部５１に用紙を載置して、載置された用紙について、画像形成装置Ａの動作とは関係なくオフラインモードで後処理を行うよう指示する操作部は、▲１▼後処理装置Ｂに画像形成装置Ａの操作部９とは別に第２の操作部９０を設けることによって行われる。
【００４５】
図４には第２の操作部９０のパネルの１例を示している。後処理装置Ｂ上方の操作を容易とする位置には第２の操作部９０が設けられている。第２の操作部９０には、機能入力及び表示部９２、枚数設定釦９３、設定枚数表示部９４、枚数表示部９５、スタート／クリア釦９６が設けられている。
【００４６】
ユーザーは、機能入力及び表示部９２に表示された、１ヵ所綴じ、中綴じ、中折り、Ｚ折りの何れかの１つ又は２つを選択するかを当該釦を押釦することによって動作選択と表示がなされる。ついでユーザーは１束分の用紙枚数は何枚であるかによって、１束分の用紙枚数を設定枚数として枚数設定釦９３を押釦することによって設定する。設定された１束分の枚数は設定枚数表示部９４に表示される。スタート／クリア釦９６でスタート指示を行うと、用紙給紙部５１からは１束部毎の用紙が排出されて、機能入力及び表示部９２に表示された機能によって後処理が行われる。後処理の動作中にインクリメントされた処理枚数は後処理を終えた束数と共に枚数表示部９５に表示する。
【００４７】
以上説明した極めて簡易な構成の第２の操作部９０を設けることによって後処理位置においてオフラインモードでの極めて便利な後処理操作が行われるので、操作性において優れた効果を奏することとなる。
（２）後処理装置の制御
図５に示すブロック図は後処理装置Ｂに第２の操作部９０を設けてオフラインモードで後処理操作が行われる制御系を示すブロック図である。画像形成装置Ａには画像形成部の制御を行う本体制御部１１０Ａがあって、操作部９と接続し、操作部９に入力されたコピー指示によって、本体駆動系１１２Ａの制御を行っている。また後処理装置Ｂには後処理部の制御を行う後処理制御部１１０Ｂがあって、第２の操作部９０及び後処理駆動系１１２Ｂと接続している。
【００４８】
本体制御部１１０Ａと後処理制御部１１０Ｂとの間では信号の送受を行う通信部１１１を接続している。操作部９によってコピーとコピーされた記録紙についての後処理が求められたときは、本体制御部１１０Ａは通信部１１１を介して後処理制御部１１０Ｂと連絡し、本体制御部１１０Ａは本体駆動系１１２Ａを制御して記録紙に対してコピー動作を行い、後処理部へと搬送された記録紙には後処理制御部１１０Ｂに制御された後処理駆動系が作動して後処理が行われて排紙される。
【００４９】
第２の操作部９０に後処理条件が入力されると、後処理制御部１１０Ｂはオフラインモードとして通信部１１１を介しての本体制御部１１０Ａとの連絡を一時停止し、後処理駆動系１１２Ｂを制御して用紙給紙部５１上に載置された用紙に対して後処理を行う。
（３）後処理動作のフローチャート
図６〜図８に示すフローチャートは本発明による後処理動作を示すフローチャートである。即ち、第２の操作部９０によって指示されたオフラインでの後処理モードで、用紙給紙部５１に載置された用紙を用いて後処理動作する制御がなされるようにした後処理動作のフローチャートである。
【００５０】
図６に示すフローチャートで、後処理制御部１１０Ｂは、１束分のセット枚数が何枚であるかの枚数設定がなされているか否かを判定し（ステップＳ１）、枚数設定がなされているときは図７に示すモード１による後処理動作（請求項１記載の動作）が行われる（ステップＳ２）。また、１束分のセット枚数の設定がなされていないときは図８に示すモード２による後処理動作（請求項２記載の動作）が行われる（ステップＳ３）。
（３Ａ）モード１の後処理動作
１束分のセット枚数の設定がなされている場合のモード１の後処理動作について、図７のフローチャートを用いて説明する。
【００５１】
後処理制御部１１０Ｂはスタート／クリア釦９６が押釦されて後処理の動作要求があるか否かのチェックを行い（ステップＳ２１）、動作要求があるのを待って用紙給紙部５１から用紙１枚の給紙を行う（ステップＳ２２）。機能入力及び表示部９２で１カ所綴じ、中綴じ、中折り、Ｚ折り等の後処理のうち２つの後処理が入力がなされているか否かのチェックを行い（ステップＳ２３）、２つの後処理機能が入力されているときは、１枚毎に行う後処理動作（例えば折り動作）を実行する（ステップＳ２４）。ついで給紙された用紙枚数がセット枚数に達しているか否かのチェックを行う（ステップＳ２５）。ステップＳ２３において１つの後処理だけが入力されていたときは、ステップＳ２４の動作をとばしてステップＳ２５のチェックを行う。
【００５２】
ステップＳ２５において、給紙された用紙枚数がセット枚数に達していないときは、給紙された用紙枚数に＋１する枚数カウントインクリメントを行い（ステップＳ２６Ｎ）、ステップＳ２２に戻る。
【００５３】
ステップＳ２５において、給紙された用紙枚数がセット枚数に達したときは、１束分（セット枚数分）の例えば折り動作がなされた用紙をまとめて後処理動作（例えば綴じ動作）を実行する（ステップＳ２６）。ここまでのプロセスによって１束分の後処理がなされ、１束分の１枚毎に折られた用紙がまとめて綴じられることとなる。
【００５４】
給紙された用紙枚数についてカウントクリアしてカウント枚数を０に戻し（ステップＳ２７）、用紙給紙部５１に未処理の用紙が残っているか否かのチェックを行う（ステップＳ２８）。用紙の残りが無いときは、後処理動作は終了したこととなる（ステップＳ２９）。
【００５５】
また、ステップＳ２８において用紙の残りがあるときは、ステップＳ２２に戻り次の１束分の後処理動作が行われる。
（３Ｂ）モード２の後処理動作
セット枚数の設定がなされていない場合のモード２の後処理動作について、図８のフローチャートを用いて説明する。
【００５６】
後処理制御部１１０Ｂはスタート／クリア釦９６が押釦されて後処理の動作要求があるか否かのチェックを行い（ステップＳ３１）、動作要求があるのを待って用紙給紙部５１から用紙１枚の給紙を行う（ステップＳ３２）。機能入力及び表示部９２で１カ所綴じ、中綴じ、中折り、Ｚ折り、パンチ等の後処理のうち２つの後処理の入力がなされているか否かのチェックを行い（ステップＳ３３）、２つの後処理機能が入力されているときは１枚毎に行う後処理動作（例えば折り動作）を実行する（ステップＳ３４）。ついで、用紙給紙部５１に用紙が残っているか否かのチェックを行う（ステップＳ３５）。
【００５７】
またステップＳ３３において１つの後処理だけが入力されているときは、ステップＳ３４の動作をとばしてステップ３５のチェックを行う。
【００５８】
ステップＳ３５において用紙給紙部５１に用紙が残っているときは、ステップＳ３２に戻る。
【００５９】
ステップＳ３５において、用紙給紙部５１に用紙が残っていないときは、１束分（用紙給紙部５１上にセットされた用紙全量）の例えば折り動作がなされた用紙をまとめて後処理動作（例えば綴じ動作）を実行する（ステップＳ３６）。
【００６０】
以上のプロセスによって、用紙給紙部５１にセットされた用紙全量をまとめての後処理が終了する（ステップＳ３７）
【００６１】
【発明の効果】
請求項１記載の発明によれば、操作性の優れた場所で安価な操作部によって使用上便利な後処理装置の制御が可能となり、１枚毎に先の後処理動作、例えばパンチ又はＺ折り動作を実行し、後の後処理動作、例えば又は１ヵ所綴じ動作を、先の後処理動作を終えた所定枚数の用紙に対して実行することができることとなる。
【００６２】
請求項２記載の発明によれば、操作性の優れた場所で安価な操作部によって使用上便利な後処理装置の制御が可能となり、１枚毎に先の後処理動作例えばパンチ又はＺ折り動作を実行し、後の後処理動作、例えば又は１ヵ所綴じ動作を、先の後処理動作を終えた全ての給紙部にセットされた用紙に対して実行することができることとなる。
【図面の簡単な説明】
【図１】画像形成装置及び後処理装置から成る画像形成システムの全体構成図。
【図２】後処理装置内における用紙の搬送経路を示す断面図。
【図３】Ｚ折り畳み手段近傍の用紙の搬送経路を示す断面図。
【図４】第２の操作部の操作パネル。
【図５】画像形成装置と後処理装置との制御系の主要部を示すブロック図。
【図６】本発明による後処理動作を示すフローチャート。
【図７】本発明による後処理動作（モード１）を示すフローチャート。
【図８】本発明による後処理動作（モード２）を示すフローチャート。
【符号の説明】
Ａ  画像形成装置
Ｂ  後処理装置
９  操作部
９０  第２の操作部
５１  用紙給紙部
１１０Ｂ  後処理制御部
【図１】
2004184930.tif 000003
【図２】
2004184930.tif 000004
【図３】
2004184930.tif 000005
【図４】
2004184930.tif 000006
【図５】
2004184930.tif 000007
【図６】
2004184930.tif 000008
【図７】
2004184930.tif 000009
【図８】
2004184930.tif 000010